(57)【特許請求の範囲】
【請求項１】
装着者の陰嚢が配置される陰嚢配置領域と、その前側及び後側にそれぞれ延在する領域とを有しており、
前記陰嚢配置領域の前側から後側にかけて、尿を吸収する吸収体を備えた、使い捨ておむつにおいて、
前記陰嚢配置領域の前側から後側にわたる落ち窪み部形成領域に、幅方向中央部に位置する落ち窪み部と、この落ち窪み部の左右両側に位置し、前記吸収体を有する吸収側部とが設けられており、
前記落ち窪み部形成領域における前記落ち窪み部の両側部に、前後方向に沿うプリーツをそれぞれ設けるとともに、これらプリーツの対向面相互を接合せずに襠部とし、
前記吸収側部が幅方向中央側に移動してその一部又は全部が落ち窪み部上に乗り上がることにより、落ち窪み部が吸収側部に対して落ち窪むように構成されている、
ことを特徴とする使い捨ておむつ。
【請求項２】
前記落ち窪み部形成領域の前後方向長さが１５０〜１８０ｍｍであり、
展開状態における前記左右の吸収側部の幅方向間隔が２０〜４０ｍｍである、
請求項１記載の使い捨ておむつ。
【請求項３】
一方の前記吸収側部の吸収体の裏側から他方の前記吸収側部の吸収体の裏側にわたる裏側部分を有しており、この裏側部分のうち両方の前記吸収側部の間に位置する部分が前記落ち窪み部を構成しており、かつこの落ち窪み部に吸収体を有している、請求項１又は２記載の使い捨ておむつ。
【請求項４】
前記陰嚢配置領域の前側から後側にかけての領域を、透液性トップシートと不透液性シートとの間に吸収体を介在させて構成するとともに、
前記落ち窪み部形成領域の両側部間に、表裏に貫通する開口部を設け、
この開口部の裏側を、少なくとも不透液性シートを有するカバー体で覆って塞ぎ、
このカバー体により前記落ち窪み部を構成した、
請求項１〜３のいずれか１項に記載の使い捨ておむつ。
【請求項５】
装着者の陰嚢が配置される陰嚢配置領域と、その前側及び後側にそれぞれ延在する領域とを有しており、
前記陰嚢配置領域の前側から後側にかけて、尿を吸収する吸収体を備えた、使い捨ておむつにおいて、
前記陰嚢配置領域の前側から後側にわたる落ち窪み部形成領域に、幅方向中央部に位置する落ち窪み部と、この落ち窪み部の左右両側に位置し、前記吸収体を有する吸収側部とが設けられており、
前記吸収側部が幅方向中央側に移動してその一部又は全部が落ち窪み部上に乗り上がることにより、落ち窪み部が吸収側部に対して落ち窪むように構成されており、
前記陰嚢配置領域の前側から後側にわたる不透液性シートを備え、この不透液性シートの上側に、前後方向に延在する３列の吸収体を幅方向に間隔を空けて並設し、
前記不透液性シートにおける前記吸収体間に位置する部分に、前後方向に沿うプリーツをそれぞれ設け、
前記落ち窪み部形成領域の前側及び後側では前記プリーツの対向面相互を接合し、前記落ち窪み部形成領域では前記プリーツの対向面相互を接合せずに襠部とし、両方の襠部にわたる部分により前記落ち窪み部を構成した、
ことを特徴とする使い捨ておむつ。
【請求項６】
装着者の陰嚢が配置される陰嚢配置領域と、その前側及び後側にそれぞれ延在する領域とを有しており、
前記陰嚢配置領域の前側から後側にかけて、尿を吸収する吸収体を備えた、使い捨ておむつにおいて、
前記陰嚢配置領域の前側から後側にわたる落ち窪み部形成領域に、幅方向中央部に位置する落ち窪み部と、この落ち窪み部の左右両側に位置し、前記吸収体を有する吸収側部とが設けられており、
前記吸収側部が幅方向中央側に移動してその一部又は全部が落ち窪み部上に乗り上がることにより、落ち窪み部が吸収側部に対して落ち窪むように構成されており、
前記吸収側部が幅方向中央側に移動してその一部又は全部が落ち窪み部上に乗り上がった状態で、表裏方向に対向する前記吸収側部の裏面と落ち窪み部の裏面とをそれぞれ接合する接合手段を備えた、
ことを特徴とする使い捨ておむつ。
【発明の詳細な説明】
【技術分野】
【０００１】
本発明は、特に男性の前漏れ防止性能に優れる使い捨ておむつに関するものである。
【背景技術】
【０００２】
使い捨ておむつにおける漏れの形態は千差万別であるが、その中の一つの形態として、装着者が男性の場合における尿の前漏れ（使い捨ておむつの前側からの漏れ。以下、男性前漏れともいう。）がある。男性前漏れは、装着者が女性である場合には発生しないのに、装着者が男性であるとその他は同じ条件でも発生するものであり、その原因は定かではなかった。
特に従来は、陰茎の位置により排尿位置が変化することが原因であるという認識が強く、介護現場ではこの問題を解決するために、フラットタイプの補助吸収性物品を用い、その幅方向両側部を蛇腹状にして、蛇腹状部分間に陰茎を配置することにより、鼠径部から股間までの両脚の付根の溝に発生する隙間を埋めるようにしたり、特に装着者が男性のときには円錐状に丸めて陰茎に巻き付けたりする（以下、男性巻きともいう）、といった対応が取られている（例えば、特許文献１，２参照）。
また、男性巻きの装着作業の簡素化及び漏れの低減を図るために、陰茎挿入口を有する袋状吸収性物品も提案されている（例えば、特許文献３，４参照）。
【先行技術文献】
【特許文献】
【０００３】
【特許文献１】特開２００６−２１２４５２号公報
【特許文献２】特開２００１−１２９０１２号公報
【特許文献３】特開２００１−２０４７５５号公報
【特許文献４】特許第４３８８２１３号公報
【発明の概要】
【発明が解決しようとする課題】
【０００４】
しかし、陰茎を包む装着形態は、陰茎が吸収性物品により拘束されるため違和感が強いといった問題点や、装着作業が煩雑になるといった問題点を有している。
そこで、本発明の主たる課題は、男性が使用する際、装着時の違和感が少ないものでありながら、前漏れ防止性能に優れる使い捨ておむつを提供することにある。
【課題を解決するための手段】
【０００５】
本発明者は、上記課題を解決するべく鋭意研究した結果、男性前漏れの主要因は、排尿位置よりも後方に位置する陰嚢が物品表面に密着して隙間が極端に少なくなることにより、尿の後方移動が阻害されることである、という新規な知見を得た。
以下に述べる本発明はこのような知見に基づくものである。
＜請求項１記載の発明＞
装着者の陰嚢が配置される陰嚢配置領域と、その前側及び後側にそれぞれ延在する領域とを有しており、
前記陰嚢配置領域の前側から後側にかけて、尿を吸収する吸収体を備えた、使い捨ておむつにおいて、
前記陰嚢配置領域の前側から後側にわたる落ち窪み部形成領域に、幅方向中央部に位置する落ち窪み部と、この落ち窪み部の左右両側に位置し、前記吸収体を有する吸収側部とが設けられており、
前記落ち窪み部形成領域における前記落ち窪み部の両側部に、前後方向に沿うプリーツをそれぞれ設けるとともに、これらプリーツの対向面相互を接合せずに襠部とし、
前記吸収側部が幅方向中央側に移動してその一部又は全部が落ち窪み部上に乗り上がることにより、落ち窪み部が吸収側部に対して落ち窪むように構成されている、
ことを特徴とする使い捨ておむつ。
【０００６】
（作用効果）
本発明に係る使い捨ておむつは、装着状態では、陰嚢配置領域の前側から後側にわたる落ち窪み部形成領域で、吸収側部が幅方向中央側に移動してその一部又は全部が落ち窪み部上に乗り上がることにより、落ち窪み部が吸収側部に対して落ち窪み、この左右の吸収側部上に装着者の陰嚢が位置するようになる。その結果、落ち窪み部によって、装着者の陰嚢の下に陰嚢の前後に連通する大きな隙間が確保され、陰嚢配置領域の前側に排泄された尿のうち陰嚢配置領域の前側で吸収できない分は、この大きな隙間を流路として陰嚢配置領域の後側に流れ、陰嚢配置領域の後側の吸収体により吸収することができる。よって、陰嚢による拡散阻害を効果的に防止することができる。
特に、使い捨ておむつは装着状態では両脚の間に挟まれて幅方向に押し縮められた状態となるため、単に吸収体に前後方向スリットを設ける周知の拡散向上技術ではスリットが潰れて効果が薄れることになる。これに対して、本発明では、吸収側部が幅方向中央側に移動して落ち窪み部上に乗り上がることにより、落ち窪み部が吸収側部に対して落ち窪んで流路を形成するため、仮に装着状態で幅方向に押し縮められて吸収側部同士が当接してもその下に大きなトンネル状の流路が維持されるため、効果が薄れることがない。
さらに、本発明の吸収性物品は陰茎を包むものではないため、装着時の違和感も少ないものとなる。
【０００７】
【０００８】
他方、本発明では襠部を設けておくことにより、吸収側部が落ち窪み部上に乗り上がり易く、従って落ち窪み部が吸収側部に対して落ち窪み易くなるとともに、落ち窪みの深さを十分に確保することができる。
【０００９】
＜請求項２記載の発明＞
前記落ち窪み部形成領域の前後方向長さが１５０〜１８０ｍｍであり、
展開状態における前記左右の吸収側部の幅方向間隔が２０〜４０ｍｍである、
請求項１記載の使い捨ておむつ。
【００１０】
（作用効果）
各部の寸法は適宜定めることができるが、この種の使い捨ておむつを用いる標準的な成人男性の陰嚢寸法を考慮すると、上記範囲内とするのが好ましい。
【００１１】
＜請求項３記載の発明＞
一方の前記吸収側部の吸収体の裏側から他方の前記吸収側部の吸収体の裏側にわたる裏側部分を有しており、この裏側部分のうち両方の前記吸収側部の間に位置する部分が前記落ち窪み部を構成しており、かつこの落ち窪み部に吸収体を有している、請求項１又は２記載の使い捨ておむつ。
【００１２】
（作用効果）
このような構造とすることにより、吸収側部が幅方向中央部上に乗り上がり易く、従って落ち窪み部が吸収側部に対して落ち窪み易くなるだけでなく、容易に製造できるようになる。
【００１３】
＜請求項４記載の発明＞
前記陰嚢配置領域の前側から後側にかけての領域を、透液性トップシートと不透液性シートとの間に吸収体を介在させて構成するとともに、
前記落ち窪み部形成領域の両側部間に、表裏に貫通する開口部を設け、
この開口部の裏側を、少なくとも不透液性シートを有するカバー体で覆って塞ぎ、
このカバー体により前記落ち窪み部を構成した、
請求項１〜３のいずれか１項に記載の使い捨ておむつ。
【００１４】
（作用効果）
このような構造とすると、公知の構造に開口部を設けてその裏側にカバー体を取り付けるといった簡易な手法で製造することができる。
【００１５】
＜請求項５記載の発明＞
装着者の陰嚢が配置される陰嚢配置領域と、その前側及び後側にそれぞれ延在する領域とを有しており、
前記陰嚢配置領域の前側から後側にかけて、尿を吸収する吸収体を備えた、使い捨ておむつにおいて、
前記陰嚢配置領域の前側から後側にわたる落ち窪み部形成領域に、幅方向中央部に位置する落ち窪み部と、この落ち窪み部の左右両側に位置し、前記吸収体を有する吸収側部とが設けられており、
前記吸収側部が幅方向中央側に移動してその一部又は全部が落ち窪み部上に乗り上がることにより、落ち窪み部が吸収側部に対して落ち窪むように構成されており、
前記陰嚢配置領域の前側から後側にわたる不透液性シートを備え、この不透液性シートの上側に、前後方向に延在する３列の吸収体を幅方向に間隔を空けて並設し、
前記不透液性シートにおける前記吸収体間に位置する部分に、前後方向に沿うプリーツをそれぞれ設け、
前記落ち窪み部形成領域の前側及び後側では前記プリーツの対向面相互を接合し、前記落ち窪み部形成領域では前記プリーツの対向面相互を接合せずに襠部とし、両方の襠部にわたる部分により前記落ち窪み部を構成した、
ことを特徴とする使い捨ておむつ。
【００１６】
（作用効果）
このような構造とすると、開口部を設けることなく、吸収体の裏側を不透液性シートにより一体的に覆うことができ、浸透による漏れが発生し難い構造となる。また、プリーツ形成とその対向面相互の部分的接合（当該部分はプリーツが開かなくなる）のみで、落ち窪み部だけでなくその両側部に襠部を形成することができるため、製造容易性の点でも優れている。
【００１７】
＜請求項６記載の発明＞
装着者の陰嚢が配置される陰嚢配置領域と、その前側及び後側にそれぞれ延在する領域とを有しており、
前記陰嚢配置領域の前側から後側にかけて、尿を吸収する吸収体を備えた、使い捨ておむつにおいて、
前記陰嚢配置領域の前側から後側にわたる落ち窪み部形成領域に、幅方向中央部に位置する落ち窪み部と、この落ち窪み部の左右両側に位置し、前記吸収体を有する吸収側部とが設けられており、
前記吸収側部が幅方向中央側に移動してその一部又は全部が落ち窪み部上に乗り上がることにより、落ち窪み部が吸収側部に対して落ち窪むように構成されており、
前記吸収側部が幅方向中央側に移動してその一部又は全部が落ち窪み部上に乗り上がった状態で、表裏方向に対向する前記吸収側部の裏面と落ち窪み部の裏面とをそれぞれ接合する接合手段を備えた、
ことを特徴とする使い捨ておむつ。
【００１８】
（作用効果）
このような接合部を設けることにより落ち窪み形状を確実に維持することができる。また、接合位置を調整できる接合手段を採用すれば、装着者に応じて股間幅を調整したり、落ち窪み部の開口幅（両側部の間隔）を所望の幅に固定したりすることができる。
【発明の効果】
【００１９】
以上のとおり本発明によれば、男性が使用する際、装着時の違和感が少ないものでありながら、前漏れ防止性能に優れるようになる、等の利点がもたらされる。
【図面の簡単な説明】
【００２０】
【図１】パッドタイプ使い捨ておむつの展開状態の内面側を示す平面図である。
【図２】パッドタイプ使い捨ておむつの展開状態の外面側を示す平面図である。
【図３】図１のＹ−Ｙ断面図である。
【図４】図１のＺ−Ｚ断面図、及びその装着時の要部拡大図である。
【図５】斜視図である。
【図６】装着状態を上側から見た図である。
【図７】パッドタイプ使い捨ておむつの展開状態の内面側を示す平面図である。
【図８】パッドタイプ使い捨ておむつの展開状態の外面側を示す平面図である。
【図９】図７のＹ−Ｙ断面図である。
【図１０】図７のＺ−Ｚ断面図、Ｘ−Ｘ断面図である。
【図１１】斜視図である。
【図１２】装着状態の斜視図である。
【図１３】変形例の断面図である。
【図１４】変形例の断面図である。
【発明を実施するための形態】
【００２１】
以下、本発明の一実施形態について、添付図面に示されるパッドタイプ使い捨ておむつの例を参照しながら詳説する。
＜第１の形態＞
図１〜図６は、パッドタイプ使い捨ておむつ２００を示している。このパッドタイプ使い捨ておむつ２００は、股間部Ｃ２と、その前後両側に延在する前側部分Ｆ２及び後側部分Ｂ２とを有するものである。各部の寸法は適宜定めることができ、例えば、おむつ全長Ｌ（前後方向長さ）は３５０〜７００ｍｍ程度、おむつ全幅Ｗ１は１３０〜４００ｍｍ程度（ただし、おむつの吸収面の幅より広い）とすることができ、この場合における股間部Ｃ２の前後方向長さは１０〜１５０ｍｍ程度、前側部分Ｆ２の前後方向長さは５０〜３５０ｍｍ程度、及び後側部分Ｂ２の前後方向長さは５０〜３５０ｍｍ程度とすることができる。なお、「股間部」とは使用時に身体の股間と対応させる部分を意味し、製品によって、図示形態のように物品の前後方向中央若しくはその近傍から前側の所定部位までの範囲であったり、物品の前後方向中央の所定範囲であったりするものである。図示形態のように、物品の前後方向中間あるいは吸収体の前後方向中間に幅の狭い括れ部分を有する場合は、「股間部」は括れ部分の最小幅部位を前後方向中央とする所定の前後方向範囲を意味する。また、「前側部分（腹側部分）」は股間部よりも前側の部分を意味し、「後側部分（背側部分）」は股間部よりも後側の部分を意味する。
パッドタイプ使い捨ておむつ２００は、不透液性シート２１の内面と、透液性トップシート２２との間に、吸収体２３が介在された基本構造を有している。なお、断面図における点模様部分は各構成部材を接合する接合部分を示しており、ホットメルト接着剤などのベタ、ビード、カーテン、サミットまたはスパイラル塗布などにより形成されるものである。
【００２２】
（吸収体）
吸収体２３としては、パルプ繊維の積繊体、セルロースアセテート等のフィラメントの集合体、あるいは不織布を基本とし、必要に応じて粒子状等の高吸収性ポリマーを混合、固着等してなるものを用いることができる。吸収体２３における繊維目付け及び高吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。高吸収性ポリマー粒子を混合する場合等、必要に応じて、吸収体２３はクレープ紙等の包装シート（図示せず）により包むことができる。また、吸収体２３の形状は、相対的に前側の部分が後側の部分よりも幅広な帯状、あるいは長方形状、台形状等、適宜の形状とすることができる。
吸収体２３は、股間部Ｃ２を含む前後方向中間の所定部分が幅の狭い括れ部分２３ｎとして形成されている。この括れ部分２３ｎの最小幅Ｗ３は、括れ部分２３ｎの前後に位置する非括れ部分の幅（吸収体２３の全幅）Ｗ２の５０〜６５％程度であるのが好ましい。また、おむつ前端を０％としおむつ後端を１００％としたとき、括れ部分２３ｎの前端は１０〜２５％の範囲に位置しているのが好ましく、括れ部分２３ｎの後端は４０〜６５％の範囲に位置しているのが好ましく、括れ部分２３ｎの最小幅Ｗ３となる部位（最小幅部位）は２５〜３０％の範囲に位置しているのが好ましい。
吸収体２３は、陰嚢配置領域の前側から後側にかけて設けられている。ここで、「陰嚢配置領域」とは、装着者の陰嚢が配置される前後方向領域を意味し、従ってこれよりも前側が「陰嚢配置領域の前側の領域」となり、これよりも後側が「陰嚢配置領域の後側の領域」となる。通常の場合、陰嚢配置領域の前後方向長さは８０〜１００ｍｍ程度となる。
【００２３】
（不透液性シート）
吸収体２３の裏側には、不透液性シート２１が吸収体２３の周縁より若干食み出すように設けられている。不透液性シート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
また、不透液性シート２１の外面は、不織布からなる外装シート（図示略）により被覆することができ、この場合、不透液性シート２１の幅を吸収体２３の幅と同程度とすることができる。外装シートとしては各種の不織布を用いることができる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２４】
（透液性トップシート）
吸収体２３の表側は、透液性トップシート２２により覆われている。図示形態ではトップシート２２の側縁から吸収体２３が一部食み出しているが、吸収体２３の側縁が食み出さないようにトップシート２２の幅を広げることもできる。トップシート２２としては、有孔または無孔の不織布や穴あきプラスチックシートなどが用いられる。不織布を構成する素材繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
トップシート２２と吸収体２３との間には、中間シート（図示略）を介在させるのが望ましい。この中間シートは、吸収体２３により吸収した尿の逆戻りを防止するために設けられるものであり、保水性が低く、且つ透液性の高い素材、例えばメッシュフィルム等を用いるのが望ましい。トップシート２２の前端を０％としトップシート２２の後端を１００％としたとき、中間シートの前端は０〜１１％の範囲に位置しているのが好ましく、中間シートの後端は９２〜１００％の範囲に位置しているのが好ましい。また、中間シートの幅は吸収体２３の幅Ｗ２の５０〜９０％程度であるのが好ましい。
【００２５】
（エンドフラップ部・サイドフラップ部）
パッドタイプ使い捨ておむつ２００の前後方向両端部では、不透液性シート２１および透液性トップシート２２が吸収体２３の前後端よりも前後両側にそれぞれ延在されて貼り合わされ、吸収体２３の存在しないエンドフラップ部ＥＦが形成されている。パッドタイプ使い捨ておむつ２００の両側部では、不透液性シート２１が吸収体２３の側縁よりも外側にそれぞれ延在され、この延在部からトップシート２２の側部までの部分の内面には側部立体ギャザーシート３１の幅方向外側の部分３４が前後方向全体にわたり貼り付けられ、吸収体２３の存在しないサイドフラップ部ＳＦを構成している。これら貼り合わせ部分は、図１では斜線模様で示されており、ホットメルト接着剤、ヒートシール、超音波シールにより形成できる。
【００２６】
（側部立体ギャザー）
表面における両側部には、前後方向に延在する側部立体ギャザー３０がそれぞれ設けられている。側部立体ギャザー３０は上述の側部立体ギャザーシート３１により形成されている。側部立体ギャザーシート３１の幅方向中央側の部分３２はトップシート２２上にまで延在しており、その幅方向中央側の端部には、側部立体ギャザー弾性部材３３が前後方向に沿って伸張状態でホットメルト接着剤等により固定されている。
側部立体ギャザーシート３１の素材としては、プラスチックシートやメルトブローン不織布を使用することもできるが、肌への感触性の点で、不織布にシリコンなどにより撥水処理をしたものが好適に使用される。この側部立体ギャザー弾性部材３３としては、糸状、紐状、帯状等の細長状に形成された、スチレン系ゴム、オレフィン系ゴム、ウレタン系ゴム、エステル系ゴム、ポリウレタン、ポリエチレン、ポリスチレン、スチレンブタジエン、シリコン、ポリエステル等、通常使用される素材を用いることができる。
また、両側部立体ギャザーシート３１は、幅方向外側の部分３４が前後方向全体にわたりおむつ内面（図示形態ではトップシート２２表面および不透液性シート２１内面）に貼り合わされて固定部分３４とされるとともに、幅方向中央側の部分３２がこの固定部分から突出する突出部分３２とされている。そして、この突出部分３２のうち、前後方向の両端部では倒伏状態でおむつ表面（図示形態ではトップシート２２表面）に貼り合わされて非起立部３５とされ、かつこれら非起立部３５間の部分はおむつ表面（図示形態ではトップシート２２表面）に固定されていない起立部３６とされている。この起立部３６は、側部立体ギャザー弾性部材３３の収縮力が作用することにより、図４に二点差線で示されるように、おむつ表面（図示形態ではトップシート２２表面）から起立して鼠径部等に接触する部分であり、その起立基端３７は側部立体ギャザーシート３１における固定部分３４と突出部分３２との境に位置する。
【００２７】
（落ち窪み部）
特徴的には、陰嚢配置領域Ｃ１の前側から後側にわたる所定の落ち窪み部形成領域（前後方向領域）８０Ｌにおいて、幅方向中央部に表裏に貫通する開口部６０が設けられ、この開口部６０の裏側が、透液性トップシート７２と不透液性シート７１との間に吸収体７３を介在させて形成されたカバー体７０で塞がれている。この開口部６０の左右両側の部分が吸収体２３を有する吸収側部８１，８１となり、カバー体７０が落ち窪み部８０を形成する。すなわち装着状態では、図４（ｂ）及び図６に示すように、落ち窪み部形成領域８０Ｌにおける両側の吸収側部８１，８１が幅方向中央側に移動してその一部又は全部がカバー体７０上に乗り上がることにより、カバー体７０が吸収側部８１，８１に対して落ち窪んで落ち窪み部８０が形成されるようになっている。
【００２８】
特に、図示形態のように、落ち窪み部８０の両側部に、襠部８５がそれぞれ設けられていると、吸収側部８１，８１がカバー体７０上に乗り上がり易く、従ってカバー体７０が吸収側部８１，８１に対して落ち窪み易くなるとともに、落ち窪み部８０の深さを十分に確保することができる。襠部８５は適宜設けることができるが、図示例のようにカバー体７０の両側部に前後方向に沿うプリーツ８６をそれぞれ設け、落ち窪み部形成領域８０Ｌの前側及び後側ではプリーツ８６の対向面相互を接合し、落ち窪み部形成領域８０Ｌではプリーツ８６の対向面相互を接合せずに襠部８５とし、両方の襠部８５にわたる部分により落ち窪み部８０を構成するのは一つの好ましい形態である。図２にはこの接合部分が斜線で示されている。襠部８５の幅は適宜定めることができるが、通常の場合は２０〜４０ｍｍ程度とすることができる。
【００２９】
各部の寸法は適宜定めることができるが、この種の使い捨ておむつを用いる標準的な成人男性の陰嚢寸法を考慮すると、落ち窪み部形成領域８０Ｌの前後方向長さ（本形態では開口部６０の前後方向長さに相当する）は１５０〜１８０ｍｍ程度であるのが好ましく、展開状態における左右の吸収側部８１，８１の幅方向間隔（本形態では開口部６０の幅に相当する）は２０〜４０ｍｍ程度であるのが好ましい。
【００３０】
使用時には、図４（ｂ）及び図６に示すように、左右の吸収側部８１，８１上に装着者の陰嚢ＳＣが位置し、陰嚢ＳＣの下方に落ち窪み部８０が形成されるようになる。その結果、落ち窪み部８０によって、装着者の陰嚢ＳＣの下に陰嚢ＳＣの前後に連通する大きな隙間が確保され、陰嚢配置領域Ｃ１の前側に排泄された尿のうち陰嚢配置領域Ｃ１の前側で吸収できない分は、この大きな隙間を流路として陰嚢配置領域Ｃ１の後側に流れ、陰嚢配置領域Ｃ１の後側の吸収体２３により吸収することができる。よって、陰嚢ＳＣによる拡散阻害を効果的に防止することができる。
【００３１】
特に、使い捨ておむつは装着状態では両脚ＬＥの間に挟まれて幅方向に押し縮められた状態となるため、単に吸収体２３に前後方向スリットを設ける周知の拡散向上技術ではスリットが潰れて効果が薄れることになるが、上述のように、吸収側部８１，８１が幅方向中央側に移動して落ち窪み部８０上に乗り上がることにより、落ち窪み部８０が吸収側部８１，８１に対して落ち窪んで流路を形成するため、仮に装着状態で両脚ＬＥの間に挟まれて幅方向に押し縮められて吸収側部８１，８１同士が当接してもその下に大きなトンネル状の流路が維持されるため、効果が薄れることがない。しかも、カバー体７０は、一方の吸収側部８１の吸収体２３の裏側から他方の吸収側部８１の吸収体２３の裏側まで延在する裏側部分であるため、吸収側部８１，８１がカバー体７０上に乗り上がり易く、従ってカバー体７０が吸収側部８１，８１に対して落ち窪み易くなる。また、図示形態の構造は、公知の構造に開口部６０を設けてその裏側にカバー体を取り付けるといった簡易な手法で製造することができるという利点もある。
【００３２】
図示例では、製造時に使い捨ておむつの前後方向に沿って素材を搬送しつつ組み立てる一般的な製造形態を考慮し、カバー体７０の全長は使い捨ておむつの全長Ｌに及んでいるが、落ち窪み部８０を図示形態のように陰嚢配置領域Ｃ１の前側近傍から陰嚢配置領域Ｃ１の後側近傍までの長さとする場合には、その長さに合わせても良い。
【００３３】
＜第２の形態＞
第１の形態では、開口部６０を設ける必要があり、また開口部６０の周縁部に対してカバー体７０を接着することにより裏抜けを防止する必要もある。そこで、より一体性が高く開口部６０を設けないで済む構造として、図７〜図１２に示される第２の形態も提案する。
すなわち、第２の形態は、不透液性シート２１の上側に、前後方向に延在する３列の吸収体２３を幅方向に間隔を空けて並設し、不透液性シート２１における左右の吸収体２３間に位置する部分に、前後方向に沿うプリーツ２１Ｐをそれぞれ設け、落ち窪み部形成領域８０Ｌの前側及び後側ではプリーツ２１Ｐの対向面相互をホットメルト接着剤やヒートシール等の接合手段により接合し、落ち窪み部形成領域８０Ｌではプリーツ２１Ｐの対向面相互を接合せずに襠部８５とし、両方の襠部８５にわたる部分により落ち窪み部８０を構成したものである。図８にはこの接合部分が斜線で示されている。
本第２の形態の場合、落ち窪み部形成領域８０Ｌの前後方向長さは、襠部８５の前後方向長さ（プリーツ２１Ｐの非接合部分）の前後方向長さに相当し、展開状態における左右の吸収側部８１，８１の幅方向間隔は、左右の吸収体２３の間隔に相当する。
使用時には、図１０（ｂ）及び図１２に示すように、左右の吸収側部８１，８１上に装着者の陰嚢ＳＣが位置し、陰嚢ＳＣの下方に落ち窪み部８０が形成されるようになる。その結果、落ち窪み部８０によって、装着者の陰嚢ＳＣの下に陰嚢ＳＣの前後に連通する大きな隙間が確保され、陰嚢配置領域Ｃ１の前側に排泄された尿のうち陰嚢配置領域Ｃ１の前側で吸収できない分は、この大きな隙間を流路として陰嚢配置領域Ｃ１の後側に流れ、陰嚢配置領域Ｃ１の後側の吸収体２３により吸収することができる。よって、陰嚢ＳＣによる拡散阻害を効果的に防止することができる。
さらに、第２の形態では、開口部６０を設けることなく、吸収体２３の裏側を不透液性シート２１により一体的に覆うことができ、浸透による漏れが発生し難い構造となる。また、プリーツ形成とその対向面相互の部分的接合（当該部分はプリーツが開かなくなる）のみで、落ち窪み部８０だけでなくその両側部に襠部８５を形成することができるため、製造容易性の点でも優れている。しかも、液不透過性シート２１は、一方の吸収側部８１の吸収体２３の裏側から他方の吸収側部８１の吸収体２３の裏側まで延在する裏側部分であるため、吸収側部８１，８１が液不透過性シート２１上に乗り上がり易く、従って液不透過性シート２１が吸収側部８１，８１に対して落ち窪み易くなる点も第１の形態と同様である。
図示例では、製造時に使い捨ておむつの前後方向に沿って素材を搬送しつつ組み立てる一般的な製造形態を考慮し、プリーツの全長は使い捨ておむつの全長Ｌに及んでいるが、落ち窪み部を図示形態のように陰嚢配置領域Ｃ１の前側近傍から陰嚢配置領域Ｃ１の後側近傍までの長さとする場合には、その長さよりも若干長く形成するだけも良い。
また、図示例では３列の吸収体２３上を一体的に覆うようにトップシート２２を設けているが、例えば図１３（ａ）に示すように両側部の吸収体２３を一体的なトップシート２２で覆い、中央の吸収体２３についてはトップシート２２と同様の液透過性素材で包んだものをトップシート２２上にホットメルト接着剤等により貼り付ける構造としたり、図１３（ｂ）に示すように個々の吸収体２３を個別のトップシート２２で包んだものを液不透過性シート２１上にホットメルト接着剤等により貼り付ける構造としたりしても良い。
その他は第１の形態と同様であるため敢えて説明を省略する。
【００３４】
＜他の形態＞
（ａ）上記形態は落ち窪み部８０に吸収体２３を有しているが、落ち窪み部８０に吸収体２３を設けなくても良い。
（ｂ）上記形態のパッドタイプ使い捨ておむつは、テープタイプ使い捨ておむつ等のアウター使い捨ておむつの内面に敷いて使用することができる。
（ｃ）落ち窪み形状をより確実に維持するために、図１４に示すように、吸収側部８１，８１が幅方向中央側に移動してその一部又は全部が落ち窪み部８０上に乗り上がった状態で、表裏方向に対向する吸収側部８１，８１の裏面と落ち窪み部８０の裏面とをそれぞれ接合する接合手段９０を設けるのも好ましい形態である。この接合手段９０としては、メカニカルファスナー（面ファスナー）や粘着剤層を用いることができ、特にこれらのような接合位置を調整できる接合手段９０を採用すれば、装着者に応じて股間幅を調整したり、落ち窪み部８０の開口幅（両側部の間隔）を所望の幅に固定したりすることができる。
（ｄ）第２の形態において、吸収体２３の幅方向三分割が背側部分まで延在していると、吸収体２３間に形成される溝によって臀部に跡が付き、褥瘡等のスキントラブルを発生するおそれがある。よって、このような溝が小さい又は無い構造とするのが好ましい。具体的には、図９に示すように、吸収体２３間に発生する溝内に、パルプを不織布や紙で包んだもの若しくは不織布等からなる詰め物４１を詰めたり、溝の開口部を不織布等の柔軟で薄いカバー素材４２で覆ったり、あるいは背側部分の表面全体を、パルプを不織布や紙で包んだもの若しくは不織布等からなるカバー素材４３で覆ったりすることができる。
また、図示しないが、第２の形態における吸収体２３の幅方向三分割を陰嚢配置領域Ｃ１の前側近傍から陰嚢配置領域Ｃ１の後側近傍までの長さとし、これよりも背側では吸収体２３を分割せずに全体にわたり連続させた構造としても良い。
【産業上の利用可能性】
【００３５】
本発明は、パッドタイプ、パンツタイプ若しくはテープタイプ等、使い捨ておむつ全般に利用できるものである。
【符号の説明】
【００３６】
２１…不透液性シート、２２…トップシート、２３…吸収体、２３ｎ…括れ部分、３０…側部立体ギャザー、３１…側部立体ギャザーシート、３３…側部立体ギャザー弾性部材、ＳＣ…陰嚢、Ｃ１…陰嚢配置領域、６０…開口部、７０…カバー体、８０…落ち窪み部、８１…吸収側部、８０Ｌ…落ち窪み部形成領域、８５…襠部。
【図１】
0005875860.tif 000002
【図２】
0005875860.tif 000003
【図３】
0005875860.tif 000004
【図４】
0005875860.tif 000005
【図５】
0005875860.tif 000006
【図６】
0005875860.tif 000007
【図７】
0005875860.tif 000008
【図８】
0005875860.tif 000009
【図９】
0005875860.tif 000010
【図１０】
0005875860.tif 000011
【図１１】
0005875860.tif 000012
【図１２】
0005875860.tif 000013
【図１３】
0005875860.tif 000014
【図１４】
0005875860.tif 000015